(57)【要約】【課題】  災害復旧時における仮設給水栓のローラー修繕計画策定支援システム【解決手段】  災害発生時において、インターネット回線とコンピューターを用いてサーバー装置に蓄積された地図データベースと復旧状況データベースにアクセスすることで被災地の地域図に通水可能地域を割り出し、通水可能地域の内、ローラー修繕計画の対象とする通水可能地域に対して碁盤目状の区画割を行い、任意の区画に修繕部隊を設置し、当該部隊に明確な規則性を与えることで仮設給水栓のローラー修繕計画を策定し、修繕計画の進捗状況を登録する工程と修繕部隊からの実際に稼動可能な人員数の報告を基に、メインサーバーの修繕部隊データベースと照合・修正しながら人員の登録を行い、ローラー修繕計画の進捗状況に合わせて修繕部隊の動員計画を策定する工程からなることを特徴とする災害復旧時における仮設給水栓のローラー修繕計画策定支援システム。【選択図】  図３
2006152767.tif 000002
【特許請求の範囲】
【請求項１】
災害発生時において、インターネット回線に接続可能な任意のコンピューターが相互に遠隔地に置かれた複数のサーバー装置の内の１台にアクセスし、登録することで、サーバー装置の専用端末として機能する工程、専用端末の登録を行ったサーバー装置が、メインサーバーとして機能し、他のサーバー装置がバックアップとして機能するというサーバー間の優劣を決定する工程、専用端末が、メインサーバーの地図データベース及び復旧状況データベースにアクセスすることで被災地の地域図に通水可能地域を割り出し、通水可能地域の内、ローラー修繕計画の対象とする通水可能地域に対して碁盤目状の区画割を行い、任意の区画に修繕部隊を設置し、当該部隊に明確な規則性を与えることで仮設給水栓のローラー修繕計画を策定し、修繕計画の進捗状況を登録する工程及び専用端末が、修繕部隊からの実際に稼動可能な人員数の報告を基に、メインサーバーの修繕部隊データベースと照合・修正しながら人員の登録を行い、ローラー修繕計画の進捗状況に合わせて修繕部隊の動員計画を策定する工程からなり、前記インターネット回線に接続可能な任意のコンピューターが相互に遠隔地に置かれた複数のサーバー装置の内の１台にアクセスし、登録することで、サーバー装置の専用端末として機能することを特徴とする災害復旧時における仮設給水栓のローラー修繕計画策定支援システム。
【請求項２】
サーバー間の優劣を決定する工程において、専用端末の登録を行ったサーバー装置が、メインサーバーとして機能し、他のサーバー装置がバックアップとして機能することを特徴とする請求項１記載の災害復旧時における仮設給水栓のローラー修繕計画策定支援システム。
【請求項３】
仮設給水栓のローラー修繕計画を策定し、修繕計画の進捗状況を登録する工程において、専用端末が、メインサーバーの地図データベース及び復旧状況データベースにアクセスすることで被災地の地域図に通水可能地域を割り出し、通水可能地域の内、ローラー修繕計画の対象とする通水可能地域に対して碁盤目状の区画割を行い、任意の区画に修繕部隊を設置し、当該部隊に明確な規則性を与えることでローラー修繕計画を策定することを特徴とする請求項１記載の災害復旧時における仮設給水栓のローラー修繕計画策定支援システム。
【請求項４】
修繕部隊の動員計画を策定する工程において、専用端末が、修繕部隊からの実際に稼動可能な人員数の報告を基に、メインサーバーの修繕部隊データベースと照合・修正しながら人員の登録を行い、ローラー修繕計画の進捗状況に合わせて修繕部隊の動員計画を策定することを特徴とする請求項１記載の災害復旧時における仮設給水栓のローラー修繕計画策定支援システム。
【発明の詳細な説明】
【技術分野】
【０００１】  本発明は、住民生活に不可欠なライフラインである水道施設の内、特に直接水を住民に供給する役割を担う給水栓に震災等不測の災害が生じ、広域的に損傷した場合における、インターネット回線とコンピューターを利用した規則性の明確な修繕計画を実施するためのローラー修繕計画の策定及びそれを実行するための機動的な人員の動員計画の策定を支援する災害復旧時における仮設給水栓のローラー修繕計画策定支援システムに関するものである。
【背景技術】
【０００２】  阪神大震災、新潟中越地震等の予測不能な震災に対してライフラインである水道施設の復旧対策は被災者の生死に関わる一大事である。この対策として特許文献１の技術は、損傷した施設群に対して全体の復旧効率を考えて優先順位を設け、復旧計画を策定する技術を開示する（特許文献１参照）。
特許文献２の技術は、災害や事故の類型及び規模によって対応に必要な人員を決定し、対応人員の迅速な増員と対応職員の呼出状態を的確に管理する技術を開示する（特許文献２参照）
【特許文献１】特開２０００−６７１２５号公報
【特許文献２】特開平６−１３１３６０号公報
【発明の開示】
【発明が解決しようとする課題】
【０００３】  これには次のような問題があった。
特許文献１の優先順位に応じた水道施設の復旧計画の策定は、非常に有効であるが、通水が可能となった地域の仮設給水栓の取り付けに関してまで適用するべきではない。被災者に、直接水を供給する役割を担う仮設給水栓がどのような優先順位で復旧されているのかは、被災者にとって生死に関わる問題であり、情報が混乱した被災地において仮設給水栓の取り付けにまで優先順位を適用すると、いつ自分のいる地域で実際に、水を入手できるかが不明確であるため、策定者の考えた優先順位に対して差別を感じ、集団ヒステリーを惹起する可能性がある。
特許文献２の災害や事故の類型及び規模によって対応に必要な人員を決定し、管理する技術は、予測できなかった類型や規模の災害や事故が生じたときに臨機応変に対応できない可能性が生じる。また被災地では、ボランティアや他地域からの救援その他予測できない原因から生じる増員の可能性、又は逆に予定外の人員の減少も見込まれるであろう。そのような予定外の人員の増減に機動的に対処できないという問題がある。
【課題を解決するための手段】
【０００４】  本発明は、災害発生時において、インターネット回線に接続可能な任意のコンピューターが相互に遠隔地に置かれた複数のサーバー装置の内の１台にアクセスし、サーバー装置に登録することで、サーバー装置の専用端末として機能し、専用端末の登録を行ったサーバー装置がメインサーバーとして機能し、他のサーバー装置がバックアップとして機能するというサーバー間の優劣を決定する。登録された専用端末は、メインサーバーの地図データベース、及び復旧状況データベースにアクセスすることで被災地の地域図に通水可能地域を割り出し、通水可能地域の内、ローラー修繕計画の対象とする通水可能地域に対して碁盤目状の区画割を行い、任意の区画に修繕部隊を設置し、当該部隊に明確な規則性を与えることで画一的な仮設給水栓のローラー修繕計画を策定し、修繕計画の進捗状況を登録する。また、修繕部隊からの実際に稼動可能な人員数の報告を基に、メインサーバーの修繕部隊データベースと照合・修正しながら人員の登録を行い、ローラー修繕計画の進捗状況に合わせて機動的な修繕部隊の動員計画を策定する。
【発明の効果】
【０００５】  被災地の住民にライフラインである水道施設の復旧計画に対する優先順位を明確に推定させることが可能になり、復旧優先順位に対する差別感や不安感からくる集団ヒステリーを防止することができる。【０００６】  災害や事故の類型や規模に左右されず、予見できないものに対しても画一的な計画の策定が可能であり、一時的な情報の断絶や混乱があっても統一的な復旧活動が可能である。【０００７】  予見できない修繕部隊の人員の増減に対しても機動的な動員計画を立案できる。
【発明を実施するために最良の形態】
【０００８】  災害時においては、予定していた専用端末が使えるとは限らないため、専用端末を予め特定しない。そのためには、災害時において現に稼動可能な任意のコンピューターがサーバーにアクセスし、登録することでサーバーに情報を入力する専用端末とする。
【０００９】  また、専用端末の登録を行ったサーバーが、メインサーバーとして動作し、他のサーバーは、バックアップとしての役割を果たす。
【００１０】  地図データベース、修繕部隊データベース及び復旧状況データベースが格納された各サーバーは、広域災害等の不測の事態が生じた場合に、いずれかのサーバーがダウンしても復旧できるように常に情報を共有する。各サーバーは、遠隔地に置き、クライアントＰＣ、各サーバー間を繋ぐ回線はインターネット、ＶＰＮ、専用回線等複数の回線を確保し、通信網の遮断に備えてできるだけ通信手段の多様化を図り、システム間の連携をとる。
【実施例】
【００１１】  以下、本発明の実施形態について図面を用いて詳細に説明する。【００１２】  図１は、災害発生時のサーバー装置と専用端末装置となるコンピューターとの関係図である。それぞれ遠隔地に置かれた各サーバー装置２は、災害発生時においては互いに優劣が無く、インターネット回線５を利用したＶＰＮ、専用回線６のように複数の通信手段で互いにバックアップをしている。また、専用端末装置となるコンピューターも特定されていない。災害が発生するとインターネットに接続された無数の任意のＰＣ１の中で実際に稼動可能なＰＣが複数のサーバー装置２のうち、いずれかに接続し、サーバー装置２に登録することで専用端末装置としてのクライアントＰＣ３として機能するようになる。また、クライアントＰＣ３を登録したサーバー装置２はメインサーバー４として他のサーバー装置２と優劣が決定され、以後、他のサーバー装置２はメインサーバー４のバックアップとしての役割を果たす。【００１３】  図２は、本システムの構成図である。インターネット回線５を用いたＶＰＮ、専用回線６で接続されたメインサーバー４、他のサーバー装置２はそれぞれ地図データベース１０、復旧状況データベース１１、修繕部隊データベース１４を共有し、相互にバックアップする。クライアントＰＣ３の入力装置からの命令は、情報処理装置８を通して表示装置１３に投影される。また、必要に応じて、メインサーバー４の情報処理装置９を通して、地図データベース１０、復旧状況データベース１１、修繕部隊データベース１４にアクセスし、ローラー修繕計画ファイル１２、修繕計画進捗データファイル１６、修繕部隊動員計画ファイル１５をクライアントＰＣ３の記憶槽に生成する。生成されたローラー修繕計画ファイル１２、修繕計画進捗データファイル１６、修繕部隊動員計画ファイル１５はメインサーバー４にバックアップされ、インターネット回線５を用いたＶＰＮ、専用回線６を通して各サーバー装置２にもバックアップされる。【００１４】  図３はローラー修繕計画策定手段の説明図である。クライアントＰＣ３は災害地域の地域情報が格納された地図データベース１０から災害地域の地図１７検索し、水道局からの配水本管・小管の復旧状況を復旧状況データベース１１から検索し、重ね合わせることで通水可能地域１８を確定し、通水可能地域１８の内、ローラー修繕計画策定の対象となる通水可能地域１８の拡大地図１７′を表示する。次に、対象として選択された通水可能地域１８を碁盤目状に区画し、任意の区画に修繕部隊１９を班ごとに配置する。以後は、図３の矢印で表示された規則動作で、区画ごとの復旧順位に優劣をつけずに、仮設給水栓のローラー修繕計画を実行する。この時、策定されたローラー修繕計画は、ローラー修繕計画ファイル１２に保存され、修繕計画の進行度合いは、修繕計画進捗データファイル１６に蓄積される。【００１５】  図４は修繕部隊動員計画策定手段の説明図である。修繕部隊１９は現在の稼動可能人員の人数をクライアントＰＣ３に報告する。クライアントＰＣ３は修繕部隊データベース１４と照合しながら稼動人員の修正人員登録を行い、修繕部隊データベース１４を修正する。このとき登録されたデータと修繕計画進捗データファ��ル１６とを基に動員計画の策定をし、修繕部隊１９に対して計画の実行を指示する。修繕部隊１９は、計画を実行した後、人員の離脱及び人員の参入に関しての人員増減報告をクライアントＰＣ３に対して行う。クライアントＰＣ３は、当該報告を基に修正人員登録を行うと共に、修繕部隊データベース１４と照合し、修正する。また、修繕部隊１９の計画実行により推移した修繕計画進捗データファイル１６を勘案して動員計画を策定し、修繕部隊１９に対して計画の実行を指示する。以上の作業を修繕計画の完遂まで繰り返す。
【産業上の利用可能性】
【００１６】  近年、阪神大震災、新潟中越地震等、予期しない大規模な震災が相次ぎ、各自治体を始め各管工事組合は、震災に対する予防手段を策定し、震災が起こった場合の復旧手段に対する明確な対策指針を立案する必要に迫られている。本発明は、被災者にとって最も重要な水の確保に密接する仮設給水栓に関する修繕計画をローラー修繕という理解し易い形で規則化することで、被災者の不安を払拭し、当該不安から生じる集団ヒステリーを防止し、被災地の混乱を収束させることで、各自治体及び各管工事組合に明確なライフラインの復旧システムの提案を行えることから、本発明の産業上の利用価値は大きなものとなる。
【図面の簡単な説明】
【００１７】
【図１】  本発明における災害発生時のサーバー装置と端末装置となるコンピューターとの関係図である。
【図２】  本発明のシステム構成図である。
【図３】  本発明におけるローラー修繕計画策定手段の説明図である。
【図４】  本発明における修繕部隊動員計画策定手段の説明図である。
【符号の説明】
【００１８】１      任意のＰＣ
２      サーバー装置
３      クライアントＰＣ
４      メインサーバー
５      インターネット回線
６      専用回線
７      入力装置
８      情報処理装置
９      情報処理装置
１０    地図データベース
１１    復旧状況データベース
１２    ローラー修繕計画ファイル
１３    表示装置
１４    修繕部隊データベース
１５    修繕部隊動員計画ファイル
１６    修繕計画進捗データファイル
１７    災害地域の地図
１７′  通水可能地域の拡大地図
１８    通水可能地域
１９    修繕部隊
【図１】
2006152767.tif 000003
【図２】
2006152767.tif 000004
【図３】
2006152767.tif 000005
【図４】
2006152767.tif 000006